(57)【要約】【課題】  ブラケットとビームジョイントとを用いてビームを支柱の上方及び正面の双方で傾斜角度自在に連結できるようにする。【解決手段】  垂直上向きの厚肉突片６を共通に有するトップ用とフロント用の異種一対のブラケット４，５を形成するとともに共通の厚肉突片６を対接片２１の凹陥挟持部２３に受入挟持する一対のビームジョイント１７を形成し，ブラケット４，５を支柱１に選択的に設置しその厚肉突片６を受入れてボルト２７締着したビームジョイント１７にビーム３を固定することによってその連結を行い，ボルト２７を回転軸としてビーム３の傾斜角度を自在に設定できるようにする。対接片２１は凹陥挟持部２３上方の隆起対接面２２を突合せ対接して安定して強固な連結を行う。【選択図】        図２
2005083010.tif 000002
【特許請求の範囲】
【請求項１】
垂直上向きの厚肉突片を共通に具備して支柱上端の中空部に脚部を嵌合固定することによって該支柱の上端に起立配置するトップ用及び支柱側面にバンド固定することによって該支柱前方に持出し配置するフロント用の異種一対のブラケットと，上記共通の厚肉突片を前後から覆うように受入挟持しボルト締着することによって該ボルトを回動軸として上記厚肉突片に対して上下回動自在に配置した半割状各一方の対接片を具備して隣接するビーム長手方向端部の中空部に脚部を嵌合固定することによって該ビームに突出配置する前後に一対のビームジョイントとを備えてなることを特徴とするビーム連結構造。
【請求項２】
上記前後に一対のビームジョイントの対接片を，その対接面に相互に対接する上方の隆起対接面と上記ブラケットに共通の厚肉突片の厚さの１／２深さに凹陥し且つ下向きに拡開した下方の凹陥挟持部とを備えて形成したことを特徴とする請求項１に記載のビーム連結構造。
【請求項３】
上記ブラケットに共通の厚肉突片の上端を円弧面とし，上記前後に一対のビームジョイントの上記凹陥挟持部の上端を該厚肉突片の円弧面と同一半径の円弧面としてなることを特徴とする請求項２に記載のビーム連結構造。
【請求項４】
上記請求項１乃至３のいずれかに記載のビーム連結構造によって支柱上端及び／又は支柱側面において隣接するビームを長手方向傾斜角度自在に連結してなることを特徴とするビーム手摺。
【発明の詳細な説明】
【技術分野】
【０００１】
本発明は傾斜面や階段において手摺として使用するビームをブラケットとビームジョイントを用いて連結するビーム連結構造に関し，またこれを用いたビーム手摺に関する。
【背景技術】
【０００２】
この種ビーム（乃至これに相当する横枠）を連結する構造として，例えばビーム長手方向端部に突出配置した前後半割の対接片を具備した一対のビームジョイントを用い，支柱を貫通するボルトの両端に一方のビームジョイントを固定するとともにその対接片と他方のビームジョイントの対接片とを相互に対接し，これらをボルト締着することによって該ボルトを回動軸として相互に上下回動自在に配置することによって，隣接するビームを，支柱側面にそれぞれ長手方向傾斜角度自在に固定してその支柱を介した連結を行なうようにしたものが知られている。
【０００３】
【特許文献１】特開平９−２２８６９７号特許公開公報
【発明の開示】
【発明が解決しようとする課題】
【０００４】
この場合，支柱を挟んだビーム同士の傾斜角度自在の連結が可能となるが，支柱を貫通するボルトによって支柱の側面にそれぞれ前後半割の対接片を有する一対のビームジョイントを設置使用する必要があるため，ビームの連結に使用する部材数が多くコストがアップするとともに現場での連結作業が煩雑となる傾向が生じ，例えば玄関等においてその傾斜面や階段の手摺として使用するビームの連結構造として必ずしも適当とはいえない。
【０００５】
このときブラケットを用いることによって該ブラケットを介してビームジョイントを支柱に固定してビームの連結を行うことも想定し得るが，ブラケットの両側にそれぞれ前後半割の対接片を有する一対のビームジョイントを使用することになり，更に構造が煩雑となる可能性があり，またビーム手摺として水平荷重を含めた強度を充分に確保する上で，支柱とブラケット及びブラケットとビームジョイントの相互の固定構造も複雑化し，その作業が煩雑化するものとなり易い。
【０００６】
本発明はこのような事情に鑑みてなされたもので，その解決課題とするところは，ブラケットとビームジョイントを使用して可及的簡易な構造によって支柱位置においてビームを傾斜角度自在に連結し得るようにするとともにビームの連結を支柱の上方及び正面の双方において選択的になし得るようにし且つ部材の可及的な共通化を図ることによって可及的に低コストにして作業効率を良好に確保し得るようにしたビーム連結構造を提供するにあり，またこの連結構造を用いたビーム手摺を提供するにある。
【課題を解決するための手段】
【０００７】
上記課題に添って本発明は，ブラケットを支柱上方でビームを連結するトップ用と，支柱正面でビームを連結するフロント用の異種一対とするも，これらブラケットにビームジョイントの支持用に配置した垂直上向きの厚肉突片を共通化し，またビームジョイントを，その半割状の対接片間に上記共通化した厚肉突片を受入挟持してボルト締着することによって該対接片を厚肉突片に対して相互に上下回動自在とした一対のものとし，支柱に異種一対のうちのトップ用及び／又はフロント用のブラケットを設置し，該ブラケットにより一対のビームジョイントを支持し，該ビームジョイントを介してビームを支柱の上方及び／又は正面で連結することによって，可及的簡易な構造による支柱の上方及び／又は正面におけるビームの傾斜角度自在の選択的な連結と部材の共通化による低コストと作業効率の確保を可能としたものであって，即ち請求項１に記載の発明を，垂直上向きの厚肉突片を共通に具備して支柱上端の中空部に脚部を嵌合固定することによって該支柱の上端に起立配置するトップ用及び支柱側面にバンド固定することによって該支柱前方に持出し配置するフロント用の異種一対のブラケットと，上記共通の厚肉突片を前後から覆うように受入挟持しボルト締着することによって該ボルトを回動軸として上記厚肉突片に対して上下回動自在に配置した半割状各一方の対接片を具備して隣接するビーム長手方向端部の中空部に脚部を嵌合固定することによって該ビームに突出配置する前後に一対のビームジョイントとを備えてなることを特徴とするビーム連結構造としたものである。
【０００８】
請求項２に記載の発明は，上記に加えて，ブラケットの厚肉突片の受入挟持とこれによるビームジョイントの支持及びその上下回動を安定して確実になし得るものとするように，これを，上記前後に一対のビームジョイントの対接片を，その対接面に相互に対接する上方の隆起対接面と上記ブラケットに共通の厚肉突片の厚さの１／２深さに凹陥し且つ下向きに拡開した下方の凹陥挟持部とを備えて形成したことを特徴とする請求項１に記載のビーム連結構造としたものである。
【０００９】
請求項３に記載の発明は，同じく上記に加えて，トップ用，フロント用のいずれのブラケットを用いたときも，ビームジョイントへの厚肉突片の受入挟持を容易化するとともに安定した状態でビームジョイントの上下回動をなし得るものとするように，これを，上記ブラケットに共通の厚肉突片の上端を円弧面とし，上記前後に一対のビームジョイントの上記凹陥挟持部の上端を該厚肉突片の円弧面と同一径の円弧面としてなることを特徴とする請求項２に記載のビーム連結構造としたものである。
【００１０】
請求項４に記載の発明は，これらビーム連結構造を用いたビーム手摺を提供するように，これを，上記請求項１乃至３のいずれかに記載のビーム連結構造によって支柱上端及び／又は支柱側面において隣接するビームを長手方向傾斜角度自在に連結してなることを特徴とするビーム手摺としたものである。
【００１１】
本発明はこれらをそれぞれ発明の要旨として上記課題解決の手段としたものである。
【発明の効果】
【００１２】
本発明は以上のとおりに構成したから，請求項１に記載の発明は，ブラケットをトップ用とフロント用の異種一対とするも，これらブラケットにビームジョイントの支持用に配置した垂直上向きの厚肉突片を共通化し，またビームジョイントを，その半割状の対接片間に上記共通化した厚肉突片を受入挟持してボルト締着することによって該対接片を厚肉突片に対して相互に上下回動自在とした一対のものとし，支柱に異種一対のうちのトップ用及び／又はフロント用のブラケットを設置し，該ブラケットにより一対のビームジョイントを支持し，該ビームジョイントを介してビームを支柱の上方及び／又は正面で連結することによって，可及的簡易な構造による支柱の上方及び／又は正面におけるビームの傾斜角度自在の選択的にして強度に優れた確実な連結と部材の共通化による低コストと良好な作業効率の確保を可能としたビーム連結構造を提供することができる。
【００１３】
請求項２に記載の発明は，上記に加えて，ブラケットの厚肉突片の受入挟持とこれによるビームジョイントの支持及びその上下回動を安定して確実になし得るものとすることができる。
【００１４】
請求項３に記載の発明は，同じく上記に加えて，トップ用，フロント用のいずれのブラケットを用いたときも，ビームジョイントへの厚肉突片の受入挟持を容易化するとともに安定した状態でビームジョイントの上下回動をなし得るものとすることができる。
【００１５】
請求項４に記載の発明は，これらビーム連結構造を用いたビーム手摺を提供することができる。
【発明を実施するための最良の形態】
【００１６】
以下図面の例に従って本発明を更に具体的に説明すれば，Ａはビーム手摺，１は支柱，３はビーム，４，５はブラケット，１７はビームジョイントであり，該ビーム手摺Ａは，図１乃至図４において支柱１上端に，図５乃至図８において支柱１正面に隣接するビーム３を長手方向傾斜角度自在に連結した，例えば玄関の傾斜面や階段に設置使用するものとしてある。
【００１７】
本例において支柱１及びビーム３はそれぞれ断面円形のパイプによるものとしてあり，図５のように支柱１の正面でビーム３を連結し，該支柱１の上端が空くものはキャップ２を嵌着して上端の開口を閉塞したものとしてある。
【００１８】
ブラケット４，５は，垂直上向きの厚肉突片６を共通に備えたトップ用とフロント用の異種一対のものとしてあり，トップ用のブラケット４は，支柱１中空部に脚部９を嵌合固定することによって該支柱１上端に起立配置するものとし，フロント用のブラケット５は，支柱１側面にバンド１４固定することによって該支柱１前方に持出し配置するものとしてある。
【００１９】
即ちこれらトップ用及びフロント用のブラケット４，５は，例えばアルミダイカストにより鋳造し或いは強度に優れた硬質樹脂を射出成形することによって形成した一体成形のものとしてあり，トップ用のブラケット４は上記支柱１の中空部に嵌合する脚部９と，該脚部９上に配置した上方に膨出し支柱１の外径に合わせた基板１０と，該基板１０に垂直上向きに起立した厚肉突片６とを備えたものとしてあり，本例にあって該厚肉突片６は上記基板の前後中央位置から１〜２ｃｍ程度，本例にあっては１．５ｃｍ程度の厚さにして，５〜７ｃｍ程度の高さに垂直上向きに起立した断面矩形の中実厚肉の突片としてある。
【００２０】
またフロント用のブラケット５は，支柱１側面に対接する取付基部１２と，該取付基部１２を上向きに屈曲するように傾斜部を介して垂直上向きに起立した厚肉突片６とを備えるとともに上記取付基部１２に両端を連結して支柱１に取付固定する取付バンド１４とを備えたものとしてあり，このときその厚肉突片６はその厚さ，高さ及び断面形状を上記トップ用のブラケット４と同一構成とすることによって，これをトップ用とフロント用とで共通化したものとしてある。
【００２１】
該トップ用及びフロント用に共通の厚肉突片６の上端部を円弧面７としてあり，本例にあって該円弧面７は，その半径を１〜２ｃｍ程度，本例にあっては１．５ｃｍ程度として，正面において１／４円〜１／３円程度の角度をなすように設定してある。
【００２２】
一方ビームジョイント１７は，上記共通の厚肉突片６を前後から覆うように受入挟持しボルト２７締着することによって該ボルト２７を回動軸として上記厚肉突片６に対して上下回動自在に配置した半割状各一方の対接片２１を具備して隣接するビーム３長手方向端部の中空部に脚部１８を嵌合固定することによって該ビーム３に突出配置する前後に一対のものとしてあり，本例にあって該前後に一対のビームジョイント１７の対接片２１は，これを，その対接面に相互に対接する上方の隆起対接面２２と上記ブラケット４，５に共通の厚肉突片６の厚さの１／２深さに凹陥し且つ下向きに拡開した下方の凹陥挟持部２３とを備えて形成したものとしてある。
【００２３】
即ちビームジョイント１７は，上記ブラケット４，５と同様に，例えばアルミダイカストにより鋳造し或いは強度に優れた硬質樹脂を射出成形することによって形成した一体成形のものとしてあり，ビーム３の中空部に嵌合する脚部１８と，該脚部１８を嵌合したビーム３端部をその外周側で被覆するカバー部１９と，該カバー部１９をビーム３長手方向に突出するように配置した基部２０と，該基部２０から更にビーム長手方向に突出し，正面で円をなし且つ前後方向に円弧状に膨出するとともに対接面を，これに上記隆起対接面２２とその下位の凹陥挟持部２３を配置するように上下に段差垂直面状とした，前後に半割状のうち各一方の対接片２１とを備えてあり，このとき上記隆起対接面２２は，凹陥挟持部２３に対してその上方を円弧状に囲むリブ状に配置し，その下位に配置した凹陥挟持部２３の上端部を，上記厚肉突片６における上端部の円弧面７と同一半径の円弧面２４としたものとしてある。
【００２４】
本例において凹陥挟持部２３は，これを上方で囲む隆起対接面２２に対して，上記ブラケット４，５の厚肉突片６の１／２厚さに応じて，例えば０．５〜１ｃｍ程度，本例にあっては０．７〜０．８ｃｍ程度の深さに凹陥し且つ該厚肉突片６の円弧面７がその円弧面２４に対接した状態で回動し得るように下向きに拡開したものとしてあり，本例にあって該円弧面２４は正面において１／４円〜１／３円程度の角度をなすように設定し，またその下向きの拡開は，例えば円弧面２４両端部の接線を延長することによって該円弧面２４の上端を中心として１／４円程度の角度で拡開するようにこれを設定してある。
【００２５】
このように形成した異種一対のブラケット４，５と前後一対のビームジョイント１７を用いたビーム３の連結は，支柱１の上方でビームを連結するときは，例えば脚部９を支柱１上端の中空部に嵌合固定して該支柱１の上端にトップ用のブラケット４を起立配置する一方，一対のビームジョイント１７の半割状の各対接片２１の隆起対接面２２を上方で囲むように突合せ対接することによって形成される双方の凹陥挟持部２３によって受入挟持するようにブラケット４の垂直上向きの厚肉突片６前後にビームジョイント１７を配置し，ボルト２７によってこれら対接片２１と厚肉突片６とを一体的に締着し，該ビームジョイント１７の脚部１８を隣接する各ビーム３の中空部にそれぞれ嵌合固定して，カバー部１９によってビーム３長手方向端部をその外周側で被覆するように行えばよい。
【００２６】
また支柱１の正面，本例にあっては前方持出し状にでビーム３を連結するときは，例えば支柱１側面に取付基部１２を対接し，支柱１を囲むように取付バンド１４を配置し，該取付バンド１４の端部を取付基部１２の端部に重合固定して該支柱１の正面前方にフロント用のブラケット５を持出し配置し，その余は上記と同様にボルト２７によって一対のビームジョイント１７の対接片２１と厚肉突片６を一体的に締着し且つビームジョイント１７とビーム３を嵌合固定するように行なえばよい。
【００２７】
このときボルト２７の締着は，一対のビームジョイント１７における一方の対接片２１のボルト挿通孔２５から，厚肉突片の透孔８を介して，他方の対接片２１のボルト受孔２６にボルト２７を螺装することによってこれを行うものとしてあり，このときボルト２７を仮止め状態とすることによってその角度調整を行ない，然る後に本締めすることによって，ビーム３の傾斜角度を自在に設定するようにしてある。なお本例にあっては該ボルト２７締着のためにボルト挿通孔２５とボルト受孔２６を設置したことによってその対接片２１の形状を前後で異にするために，一対のビームジョイント１７は，これを２種類のものとしたが，例えば双方の対接片にボルト挿通孔を設けて他方の対接片側でナットを設置するボルト締着の形態とすれば，一対のビームブラケット１７を共通のものとすることができる。
【００２８】
図中１１はトップ用のブラケット４における支柱１固定用のネジ，１３はフロント用のブラケット５における取付バンド１４の透孔１５と重合してネジ１６止めするように取付基部１２の両端に設置したネジ受孔を示す。
【００２９】
以上のように構成した本例のビーム３の連結構造は，異種一対のブラケット４，５を選択的に使用し，共通一対のビームジョイント１７によって，支柱１に対してビーム３を支柱１上方及び／又は正面に傾斜角度自在に連結設置することができ，一対のビームジョイント１７の対接片２１は，ボルト２７の締着によりその隆起対接面２２が，厚肉突片６を受入挟持した凹陥挟持部２３上方で対接することによって前後の対接片２１と厚肉突片６とを強固且つ安定して一体化できるとともに厚肉突片６を対接片２１が覆い，これが露出して外観を損なうのを防止できる。厚肉突片６を受入挟持した凹陥挟持部２３を下向きに拡開したものとしたことによって厚肉突片６に対して一対のビームジョイント１７がそれぞれ安定した状態で上下回動してビーム３の傾斜角度を自由に設定できる。また上記凹陥挟持部２３と厚肉突片６の双方を同一半径の円弧面７，２４としたことによって，上記厚肉基板６に対するビームジョイント１７上下回動の安定性を更に向上できるとともに厚肉突片６に対するビームジョイント１７の前後配置を，円弧面７，２４同士が対接するように引掛け状乃至落し込み状に行なうことによって自ずと厚肉突片６とビームジョイント１７の位置決めがなされてこれらを用いたビーム３の連結作業を更に容易化することができる。
【００３０】
図示した例は以上のとおりとしたが，支柱乃至ビームを楕円，矩形等の適宜形状とし且つトップ用のブラケットの脚部，フロント用のブラケットの取付基部及びバンド，ビームジョイントの脚部及びカバー部等の形状をこれに合せて設定することを含めて，本発明の実施に当って，手摺，支柱，ビーム，トップ用及びフロント用のブラケット，その厚肉突片，ビームジョイント，その対接片，必要に応じて用いる隆起対接面，凹陥挟持部，円弧面等の各具体的構造，形状，材質，これらの関係，これらに対する付加等は，上記発明の要旨に反しない限り様々の形態のものとすることができる。
【図面の簡単な説明】
【００３１】
【図１】支柱とその上方配置のビームとの関係を示す斜視図である。
【図２】図１の分解斜視図である。
【図３】図１の縦断面図である。
【図４】図１の横断面図である。
【図５】支柱とその正面配置のビームとの関係を示す斜視図である。
【図６】図５の分解斜視図である。
【図７】図５の縦断面図である。
【図８】図５の横断面図である。
【図９】ビームジョイントの斜視図である。
【図１０】一方のビームジョイントの横断面図である。
【図１１】他方のビームジョイントの横断面図である。
【符号の説明】
【００３２】
Ａ  ビーム手摺
１  支柱
３  ビーム
４，５  ブラケット
６  厚肉突片
７  円弧面
８  脚部
１２  取付基部
１４  取付バンド
１７  ビームジョイント
１８  脚部
２１  対接片
２２  隆起対接面
２３  凹陥挟持部
２４  円弧面
２７  ボルト
【図１】
2005083010.tif 000003
【図２】
2005083010.tif 000004
【図３】
2005083010.tif 000005
【図４】
2005083010.tif 000006
【図５】
2005083010.tif 000007
【図６】
2005083010.tif 000008
【図７】
2005083010.tif 000009
【図８】
2005083010.tif 000010
【図９】
2005083010.tif 000011
【図１０】
2005083010.tif 000012
【図１１】
2005083010.tif 000013